(57)【特許請求の範囲】
【請求項１】
被検者によって吹き込まれる呼気中のアルコール濃度を検出する検出部と、
表示部と、
前記呼気を吹き込む前記被検者の撮影を行う所定の外部装置との間で通信を行う通信部と、
前記検出部に前記アルコール濃度を検出させ、前記アルコール濃度の検出結果を前記通信部を介して前記所定の外部装置へ送信する制御部と
を備え、
前記制御部は、自機を示す識別情報を生成し、前記通信部を介して前記所定の外部装置に前記識別情報を送信し、前記アルコール濃度の検出開始から前記検出結果を送信するまでの間であって前記被検者の撮影中に前記識別情報を示す画像を前記表示部に表示させる、アルコール検出器。
【請求項２】
前記制御部は、前記アルコール濃度の検出ごとに前記識別情報を異ならせる、請求項１に記載のアルコール検出器。
【請求項３】
前記制御部は、前記検出結果を示す画像を前記表示部に表示する、請求項１又は２に記載のアルコール検出器。
【請求項４】
前記制御部は、前記検出結果の送信前に、検出終了を示す情報を前記所定の外部装置に送信する、請求項１から３のいずれか一項に記載のアルコール検出器。
【請求項５】
被検者の呼気中のアルコール濃度を検出するアルコール検出器との間で通信を行う通信部と、
撮像部と、
制御部と
を備え、
前記制御部は、
前記アルコール検出器の識別情報を前記通信部を介して取得する処理と、
前記識別情報の取得に基づいて、前記撮像部に撮像を開始させる処理と、
前記撮像部の撮像開始後、前記アルコール濃度の検出結果を前記通信部を介して取得する処理と、
前記撮像部で撮像された撮像画像と、取得した前記識別情報とに基づいて、取得した前記検出結果が正当であるか否か判定する処理とを行い、
前記検出結果が正当であるか否かを判定する処理において、前記撮像画像に前記識別情報と一致する画像が含まれていない場合、前記検出結果が正当でないと判定する、情報処理装置。
【請求項６】
前記制御部は、前記識別情報を取得後、前記アルコール検出器から検出終了を示す情報を取得した後、前記撮像部に撮像を開始させる、請求項５に記載の情報処理装置。
【請求項７】
前記制御部は、前記識別情報を取得後、前記アルコール検出器における前記アルコール濃度の検出に要する時間を含む所定時間が経過した後、前記撮像部に撮像を開始させる、請求項５に記載の情報処理装置。
【請求項８】
前記制御部は、前記検出結果が正当であるか否か判定する処理において、前記撮像画像に、前記予め定められた被検者の画像と一致する画像が含まれていない場合、前記検出結果が正当でないと判定する、請求項５から７のいずれか一項に記載の情報処理装置。
【請求項９】
前記撮像画像は、動画像である、請求項５から８のいずれか一項に記載の情報処理装置。
【請求項１０】
前記撮像画像は、静止画像である請求項５から８のいずれか一項に記載の情報処理装置。
【請求項１１】
入力信号に基づき、音声、画像、振動の少なくとも１つを用いて報知する報知部をさらに備え、
前記制御部は、前記検出結果が正当でないと判定した場合、エラーを示す前記入力信号を前記報知部に入力する、請求項５から１０のいずれか一項に記載の情報処理装置。
【請求項１２】
被検者の呼気中のアルコール濃度を検出するアルコール検出器との間で通信を行う通信部と、撮像部とを有する情報処理装置に処理を実行させるプログラムであって、
前記処理は、
前記アルコール検出器の識別情報を前記通信部を介して取得するステップと、
前記識別情報の取得に基づいて、前記撮像部に撮像を開始させるステップと、
前記撮像部の撮像開始後、前記アルコール濃度の検出結果を前記通信部を介して取得するステップと、
前記撮像部で撮像された撮像画像と、取得した前記識別情報とに基づいて、取得した前記検出結果が正当であるか否か判定するステップと
を含み、
前記検出結果が正当であるか否か判定するステップは、前記撮像画像に前記識別情報と一致する画像が含まれていない場合、前記検出結果が正当でないと判定する、プログラム。
【請求項１３】
互いに通信接続されたアルコール検出器と情報処理装置とを備え、
前記アルコール検出器は、
被検者によって吹き込まれる呼気中のアルコール濃度を検出する検出部と、
表示部と、
前記検出部に前記アルコール濃度を検出させ、前記アルコール濃度の検出結果を前記情報処理装置へ送信する第１制御部と
を備え、
前記第１制御部は、自機を示す識別情報を生成して前記情報処理装置に前記識別情報を送信し、前記アルコール濃度の検出開始から前記検出結果を送信するまでの間であって、前記情報処理装置における前記被検者の撮影中に前記識別情報を示す画像を前記表示部に表示させ、
前記情報処理装置は、
撮像部と、第２制御部とを備え、
前記第２制御部は、
前記アルコール検出器の識別情報を前記通信部を介して取得する処理と、
前記識別情報の取得に基づいて、前記撮像部に撮像を開始させる処理と、
前記撮像部の撮像開始後、前記アルコール濃度の検出結果を前記通信部を介して取得する処理と、
前記撮像部で撮像された撮像画像と、取得した前記識別情報とに基づいて、取得した前記検出結果が正当であるか否か判定する処理とを行い、
前記検出結果が正当であるか否か判定する処理において、前記撮像画像に前記識別情報と一致する画像が含まれていない場合、前記検出結果が正当でないと判定する、アルコール検査システム。
【発明の詳細な説明】
【技術分野】
【０００１】
本発明は、アルコール検出器、情報処理装置、プログラム及びアルコール検査システムに関する。
【背景技術】
【０００２】
下記特許文献１には、アルコール検知器を用いたアルコール検査におけるなりすましを防止する技術が開示されている。具体的には、下記特許文献１に記載の呼気成分測定システムは、呼気成分測定装置と、呼気成分測定装置と通信接続された情報処理端末とを含む。呼気成分測定システムは、被検者が呼気成分測定装置のマウスピースを口に入れたときに被検者の顔を含む画像を情報処理端末の撮像装置で撮像する。そして、撮像後、呼気成分測定装置は、所定時間（例えば５秒）内に、マウスピースに息を吹き込むことを被検者に促す。この呼気成分測定システムでは、撮像後の所定時間内に息を吹き込まなければ撮像からやり直すため、撮像後に被検者が入れ替わりにくい。
【先行技術文献】
【特許文献】
【０００３】
【特許文献１】特開２０１５−１７５６６５号公報
【発明の概要】
【発明が解決しようとする課題】
【０００４】
アルコール検査を行っている被検者の顔を撮影し、撮影した画像を基に被検者の正当性を判断することで、被検者のなりすましをある程度防止することができる。しかしながら、アルコール濃度を検出するアルコール検出器を、被検者が、他人の物と入れ替えて撮影し、被検者のアルコール検出器に他人が息を吹き込むような成りすましが行われることも考えられる。このように、アルコール検出器を偽装して撮影された画像には正当な被検者が映っているため、検出結果が正当であるか否かを確実に判定することが難しい。
【０００５】
本発明は、上記に鑑みてなされたものであり、アルコール検出器を偽装してアルコール検査が行われることを防止し得る技術を提供することを目的とする。
【課題を解決するための手段】
【０００６】
本発明に係るアルコール検出器は、検出部、表示部、通信部、及び制御部を備える。検出部は、被検者によって吹き込まれる呼気中のアルコール濃度を検出する。通信部は、所定の外部装置との間で通信を行う。制御部は、検出部にアルコール濃度を検出させ、アルコール濃度の検出結果を通信部を介して所定の外部装置へ送信する。さらに、制御部は、アルコール濃度の検出前に自機を示す識別情報を生成し、通信部を介して所定の外部装置に識別情報を送信し、検出結果を送信するまでの間に識別情報を示す画像を表示部に表示させる。上記アルコール検出器によれば、アルコール検出器を偽装してアルコール検査が行われることを防止することができる。
【０００７】
本発明に係る情報処理装置は、通信部、撮像部、及び制御部を備える。通信部は、被検者の呼気中のアルコール濃度を検出するアルコール検出器との間で通信を行う。制御部は、アルコール検出器の識別情報を通信部を介して取得する処理と、識別情報の取得後、撮像部に撮像を開始させる処理と、アルコール濃度の検出結果を通信部を介して取得する処理と、撮像部で撮像された撮像画像と、識別情報とに基づいて、検出結果が正当であるか否か判定する処理とを行う。制御部は、検出結果が正当であるか否か判定する処理において、撮像画像に識別情報と一致する画像が含まれていない場合、検出結果が正当でないと判定する。上記情報処理装置によれば、アルコール検出器を偽装してアルコール検査が行われることを防止することができる。
【０００８】
本発明に係るプログラムは、被検者の呼気中のアルコール濃度を検出するアルコール検出器との間で通信を行う通信部と、撮像部とを有するコンピュータに処理を実行させるプログラムである。当該処理は、アルコール検出器の識別情報を通信部を介して取得するステップと、識別情報の取得後、撮像部に撮像を開始させるステップと、アルコール濃度の検出結果を通信部を介して取得するステップと、撮像部で撮像された撮像画像と、識別情報とに基づいて、検出結果が正当であるか否か判定するステップとを含む。検出結果が正当であるか否か判定するステップは、撮像画像に識別情報と一致する画像が含まれていない場合、検出結果が正当でないと判定する。上記プログラムによれば、アルコール検出器を偽装してアルコール検査が行われることを防止することができる。
【０００９】
本発明に係るアルコール検査システムは、互いに通信接続されたアルコール検出器と情報処理装置とを備える。アルコール検出器は、検出部、表示部、及び制御部を備える。検出部は、被検者によって吹き込まれる呼気中のアルコール濃度を検出する。制御部は、検出部にアルコール濃度を検出させ、アルコール濃度の検出結果を情報処理装置へ送信する。さらに、制御部は、アルコール濃度の検出前に自機を示す識別情報を生成し、通信部を介して所定の外部装置に識別情報を送信し、検出結果を送信するまでの間に識別情報を示す画像を表示部に表示させる。情報処理装置は、撮像部と、制御部とを備える。制御部は、アルコール検出器から識別情報を取得する処理と、記識別情報の取得後、撮像部に撮像を開始させる処理と、アルコール検出器からアルコール濃度の検出結果を取得する処理と、撮像部で撮像された撮像画像と、識別情報とに基づいて、検出結果が正当であるか否か判定する処理とを行う。制御部は、検出結果が正当であるか否か判定する処理において、撮像画像に識別情報と一致する画像が含まれていない場合、検出結果が正当でないと判定する。上記アルコール検査システムによれば、アルコール検出器を偽装してアルコール検査が行われることを防止することができる。
【図面の簡単な説明】
【００１０】
【図１】図１は、第１実施形態におけるアルコール検査システムの概略構成を示す模式図である。
【図２】図２は、図１に示すアルコール検出器の概略構成を示すブロック図である。
【図３】図３は、図１に示す情報処理装置の概略構成を示すブロック図である。
【図４Ａ】図４Ａは、第１実施形態におけるアルコール検出器の動作を示すフロー図である。
【図４Ｂ】図４Ｂは、第１実施形態における情報処理装置の動作を示すフロー図である。
【図５】図５は、アルコール検査を行っている被検者の様子を示す模式図である。
【図６Ａ】図６Ａは、第２実施形態におけるアルコール検出器の動作を示すフロー図である。
【図６Ｂ】図６Ｂは、第２実施形態における携帯通信端末の動作を示すフロー図である。
【発明を実施するための形態】
【００１１】
以下、本発明の実施形態について、図面を参照しながら説明する。なお、図中、同一又は相当部分については同一の参照符号を付して説明を繰り返さない。
【００１２】
＜第１実施形態＞
図１は、第１実施形態におけるアルコール検査システム１の概略構成を示す模式図である。図１に示すように、アルコール検査システム１は、アルコール検出器２と情報処理装置３（外部装置）とを含む。情報処理装置３は、スマートフォン、タブレット端末等の携帯通信端末であってもよいし、パーソナルコンピュータであってもよい。本実施形態では、情報処理装置３として携帯通信端末を例に説明する。
【００１３】
アルコール検出器２と情報処理装置３との間は通信ケーブルＬを介して通信接続されている。アルコール検査システム１は、アルコール検査を行う被検者自身が情報処理装置３及びアルコール検出器２を操作することによってアルコール検査を行う。以下、アルコール検出器２及び情報処理装置３の構成について具体的に説明する。
【００１４】
（アルコール検出器２）
図２は、図１に示すアルコール検出器２の概略構成を示すブロック図である。図１及び図２を参照してアルコール検出器２の構成を説明する。
【００１５】
図２に示すように、アルコール検出器２は、呼気流入部２１、報知部２２、操作受付部２３、記憶部２４、通信部２５、検出部２６、及び制御部（第１制御部）２７を備える。
【００１６】
呼気流入部２１は、管状部材で構成される。図１に示すように、呼気流入部２１の一部はアルコール検出器２の外部に突出し、呼気流入部２１の他の部分はアルコール検出器２内において検出部２６と接続されている。呼気流入部２１において、アルコール検出器２の外部に突出した部分の端部は、被検者の口にくわえられ、被検者の呼気が吹き込まれる吹込み口である。被検者から吹き込まれた呼気は、呼気流入部２１の内部を通り、検出部２６に導かれる。
【００１７】
報知部２２は、表示部２２ａ及び音声出力部２２ｂを含む。表示部２２ａは、液晶ディスプレイや有機ＥＬディスプレイ等で構成され、制御部２７の制御の下、画像を表示する。音声出力部２２ｂは、スピーカを含み、制御部２７の制御の下、ビープ音等の音声を出力する。
【００１８】
操作受付部２３は、アルコール検出器２の電源ボタン（図示略）や、検査開始ボタン２３ａ（図１参照）等の操作ボタンを含む。操作受付部２３は、操作ボタンの押下操作を示す操作信号を制御部２７に出力する。
【００１９】
記憶部２４は、ＥＥＰＲＯＭ（登録商標）（Electrically Erasable Programmable Read-Only Memory）やフラッシュメモリ等の不揮発性メモリで構成される。記憶部２４は、アルコール検出器２におけるアルコール検出処理に必要な各種データを記憶する。
【００２０】
通信部２５は、通信ケーブルＬ（図１参照）を接続する端子（図示略）を含む。通信部２５は、通信ケーブルＬを介して情報処理装置３との間で通信を行う。
【００２１】
検出部２６は、圧力センサや、アルコール濃度を検出するアルコールセンサを含む（いずれも図示略）。本実施形態では、アルコールセンサは、例えば半導体式アルコールセンサが用いられるが、アルコール濃度を検出する方式は、半導体方式に限定されず、燃料電池方式、非拡散赤外線吸収方式、及び化学反応方式等であってもよい。
【００２２】
また、検出部２６は、アルコールセンサを加熱するヒータを含む加熱機構（図示略）を備える。検出部２６は、呼気が吹き込まれる前に、アルコールセンサを加熱機構によって加熱し、アルコールセンサの表面の残気ガス等を除去することで、アルコールセンサをクリーニングする。
【００２３】
検出部２６は、制御部２７の制御の下、一定以上の圧力で呼気流入部２１に吹き込まれた呼気中のアルコール濃度を検出する。
【００２４】
制御部２７は、マイクロコントローラ（ＭＣＵ)と、ＭＣＵとバス接続されたメモリ（ＲＯＭ(Read Only Memory)及びＲＡＭ(Random Access Memory)）とを含む（いずれも図示略）。ＭＣＵは、バスを介して報知部２２、操作受付部２３、記憶部２４、通信部、及び検出部２６と接続されている。
【００２５】
制御部２７は、ＭＣＵがＲＯＭに記憶された制御プログラムを実行することにより、ＭＣＵと接続された各部を制御してアルコール検出処理を行う。具体的には、制御部２７は、ＭＣＵによる制御プログラムの実行により、生成部２７１、検出制御部２７２、及び報知制御部２７３として機能する。
【００２６】
生成部２７１は、自機を識別する識別情報の一例としてパスワードを生成する。生成部２７１は、所定のアルゴリズムに基づいて、アルファベット、数字、及び記号等の少なくとも１つを用いてランダムにパスワードを生成し、メモリに記憶する。また、生成部２７１は、生成したパスワードを示すパスワード情報を通信部２５を介して情報処理装置３へ送信する。
【００２７】
検出制御部２７２は、検査開始ボタン２３ａが押下された後、検出部２６にクリーニング処理とアルコール検出処理とを順次行わせる。検出制御部２７２は、検出部２６の検出結果をメモリに記憶し、検出結果を示す情報を通信部２５を介して情報処理装置３へ送信する。
【００２８】
報知制御部２７３は、通信部２５を介した情報処理装置３からの検査開始指示に応じて、検査開始ボタン２３ａの押下を促す画像又は音声を報知部２２により報知させる。また、報知制御部２７３は、メモリに記憶された検出結果を示す画像（以下、検出結果画像）と、パスワードを示す画像（以下、パスワード画像）とを表示部２２ａに表示させる。パスワード画像は、パスワードを文字で表した画像であってもよいが、パスワードを二次元バーコードやＱＲコード（登録商標）で表した画像であってもよい。また、報知制御部２７３は、クリーニング処理の終了後、クリーニング終了を示す画像又は音声を報知部２２により報知させる。
【００２９】
（情報処理装置３）
図３は、図１に示す情報処理装置３の概略構成を示すブロック図である。以下、図１及び図３を参照して情報処理装置３の構成について説明する。
【００３０】
図３に示すように、情報処理装置３は、タッチディスプレイ３１、撮像部３２、記憶部３３、通信部３４、及び制御部（第２制御部）３５を備える。
【００３１】
タッチディスプレイ３１は、タッチセンサが設けられたディスプレイで構成される。ディスプレイは、液晶ディスプレイや有機ＥＬディスプレイ等で構成される。タッチセンサは、例えば静電容量式のタッチセンサであり、表示領域においてユーザの指等が接触した位置の静電容量の変化を検出する。タッチディスプレイ３１は、制御部３５の制御の下、各種画像を表示する。
【００３２】
撮像部３２は、フロントカメラ３２ａとバックカメラ３２ｂとを含む。フロントカメラ３２ａ及びバックカメラ３２ｂは、ＣＣＤ(Charge Coupled Device)やＣＭＯＳ(Complementary Metal Oxide Semiconductor)イメージセンサ等の撮像素子と複数のレンズが収納されたレンズユニットとを含む。フロントカメラ３２ａは、情報処理装置３においてタッチディスプレイ３１が設けられた面方向の被写体を撮像する。バックカメラ３２ｂは、情報処理装置３においてタッチディスプレイ３１と反対側の面方向の被写体を撮像する。撮像部３２は、動画撮影を行う動画モード及び静止画撮影を行う静止画モードを含む撮像モードを有する。撮像部３２は、制御部３５の制御の下、指定された撮像モードでフロントカメラ３２ａ又はバックカメラ３２ｂにより撮像を行う。
【００３３】
記憶部３３は、ｅＭＭＣ（embedded Multi Media Card）やＵＦＳ（Universal Flash Storage）等の不揮発性メモリで構成される。記憶部３３は、制御部３５の制御の下、アルコール検査に必要な画像データや、アルコール検出器２からの検出結果等を含む各種データを記憶する。
【００３４】
通信部３４は、通信ケーブルＬを接続する端子（図示略）を含む。通信部３４は、通信ケーブルＬ（図１参照）を介してアルコール検出器２との間で通信を行う。
【００３５】
制御部３５は、ＣＰＵ（Control Processing Unit）と、ＣＰＵとバス接続されたメモリ（ＲＯＭ及びＲＡＭ）とを含む。ＣＰＵは、バスを介して、タッチディスプレイ３１、撮像部３２、記憶部３３、通信部３４と接続されている。制御部３５は、ＣＰＵが、ＲＯＭに記憶されたアルコール検査プログラムを実行することにより、ＣＰＵと接続された各部を制御してアルコール検査処理を実行する。具体的には、制御部３５は、ＣＰＵによるアルコール検査プログラムの実行により、検出制御部３５１、撮像制御部３５２、判定部３５３、表示制御部３５４として機能する。
【００３６】
検出制御部３５１は、被検者によるアルコール検査プログラムの起動操作により、アルコール検査の開始指示を通信部３４を介してアルコール検出器２に送信する。また、検出制御部３５１は、アルコール検出器２から通信部３４を介してパスワード情報を受信してメモリに記憶する。また、検出制御部３５１は、パスワード情報を受信後、クリーニング処理時間に相当する所定時間が経過したとき、撮像制御部３５２に撮像開始を通知する。また、検出制御部３５１は、アルコール検出器２から通信部３４を介して検出結果を取得してメモリに記憶し、撮像制御部３５２に撮像終了を通知する。
【００３７】
撮像制御部３５２は、検出制御部３５１からの撮像開始及び撮像終了の通知により、撮像部３２を起動及び終了させる。本実施形態において、撮像制御部３５２は、フロントカメラ３２ａを動画モードで起動させる。撮像制御部３５２は、フロントカメラ３２ａで撮像された動画データをメモリに記憶する。
【００３８】
判定部３５３は、メモリに記憶されたパスワード情報と動画データとを照合し、アルコール検査に用いられたアルコール検出器２の正当性を判定する。具体的には、判定部３５３は、動画データにパスワード情報が示すパスワードと一致する画像が含まれていない場合、アルコール検出器２が正当ではないと判定する。判定部３５３は、さらに、動画データにパスワードと一致する画像が含まれている場合、動画データと予め定められた被検者の顔画像とを照合し、被検者の正当性を判定する。具体的には、判定部３５３は、動画データに被検者の顔画像と一致する画像が含まれていない場合、被検者が正当ではないと判定する。判定部３５３は、アルコール検出器２と被検者の少なくとも一方が正当ではないと判定した場合、取得した検出結果が正当ではないと判定し、検出結果を無効とする。
【００３９】
表示制御部３５４は、被検者によるアルコール検査プログラムの起動操作に応じて、アルコール検査の開始を示すアルコール検査画面をタッチディスプレイ３１に表示させる。表示制御部３５４は、撮像部３２における撮像時の画像をタッチディスプレイ３１に表示させる。また、表示制御部３５４は、判定部３５３の判定結果をタッチディスプレイ３１に表示させる。
【００４０】
なお、図３では図示を省略するが、情報処理装置３は、図３に示す構成に加え、通話機能に必要なマイクロフォンやスピーカ等を備える。
【００４１】
＜動作＞
以下、アルコール検査システム１におけるアルコール検査処理の動作を説明する。図４Ａは、アルコール検出器２の動作を示すフロー図である。また、図４Ｂは、情報処理装置３の動作を示すフロー図である。なお、図４Ｂに示すフローは、情報処理装置３において、被検者により、アルコール検査プログラムの起動操作がなされた状態で開始する。以下、図１〜図４Ｂを用いてアルコール検査処理について説明する。
【００４２】
図４ＢのステップＳ３０１において、情報処理装置３は、アルコール検査プログラムの起動操作に応じて、アルコール検出器２へ検査開始信号を送信するとともに、アルコール検査画面をタッチディスプレイ３１に表示する。具体的には、情報処理装置３は、検出制御部３５１により、検査開始指示を示す信号を通信部３４を介してアルコール検出器２へ送信する。そして、情報処理装置３は、表示制御部３５４により、アルコール検査画面をタッチディスプレイ３１に表示させて、アルコール検査の開始を被検者に通知する。
【００４３】
ステップＳ３０１の後、情報処理装置３は、アルコール検出器２からパスワード情報を受信するまで（ステップＳ３０２：Ｎｏ）、待機する。
【００４４】
図４ＡのステップＳ２０１において、アルコール検出器２は、情報処理装置３から通信部２５を介して検査開始指示を示す信号を受信すると（ステップＳ２０１：Ｙｅｓ）、アルコール検査の開始を報知する。具体的には、アルコール検出器２は、報知制御部２７３により、検査開始ボタン２３ａ（図１参照）の押下を促す画像を表示部２２ａに表示させたり、検査開始ボタン２３ａの押下を促す音声を音声出力部２２ｂから出力させたりする。
【００４５】
被検者が検査開始ボタン２３ａを押下するまで（ステップＳ２０３：Ｎｏ）、アルコール検出器２は待機する。被検者が検査開始ボタン２３ａを押下すると（ステップＳ２０３：Ｙｅｓ）、アルコール検出器２は、パスワードを生成し、生成したパスワードを示すパスワード情報を情報処理装置３に送信する（ステップＳ２０４）。具体的には、アルコール検出器２は、生成部２０４により、検査開始ボタン２３ａの押下操作を示す操作信号を操作受付部２３から取得し、所定のアルゴリズムに基づきパスワードを生成してメモリに記憶する。そして、生成部２０４により、生成したパスワードを示すパスワード情報を通信部２５を介して情報処理装置３へ送信する。
【００４６】
続いて、アルコール検出器２は、クリーニング処理を行う（ステップＳ２０５）。すなわち、アルコール検出器２は、検出制御部２７２により、検出部２６における加熱機構（図示略）を加熱させてアルコールセンサをクリーニングする。
【００４７】
そして、アルコール検出器２は、クリーニング処理後、クリーニング処理終了を示す画像を表示部２２ａに表示させ、アルコール検出処理を開始する（ステップＳ２０６）。
【００４８】
図４ＢのステップＳ３０２において、情報処理装置３は、アルコール検出器２から通信部３４を介してパスワード情報を取得すると（ステップＳ３０２：Ｙｅｓ）、取得したパスワード情報をメモリに記憶し、クリーニング処理に要する所定時間が経過するまで（ステップＳ３０３：Ｎｏ）、待機する。そして、情報処理装置３は、所定時間が経過すると（ステップＳ３０３：Ｙｅｓ）、撮像部３２で撮像を開始する（ステップＳ３０４）。つまり、アルコール検出器２によるアルコール検出処理の開始時から情報処理装置３において撮像が開始される。
【００４９】
具体的には、情報処理装置３は、撮像制御部３５２により、動画モードでフロントカメラ３２ａに撮像を開始させる。フロントカメラ３２ａで撮像された画像は表示制御部３５４によりタッチディスプレイ３１に表示される。このとき、被検者は、情報処理装置３のタッチディスプレイ３１に表示される画像を確認しながら、自分とアルコール検出器２とがフロントカメラ３２ａに映るように、アルコール検出器２と情報処理装置３とを両手で把持し、アルコール検出器２の呼気流入部２１に呼気を吹き込む。
【００５０】
図４ＡのステップＳ２０７において、アルコール検出器２は、呼気流入部２１から一定以上の圧力で吹き込まれる呼気中のアルコール濃度が検出部２６で検出されるまで（ステップＳ２０７：Ｎｏ）、検出部２６での検出処理を継続する。そして、検出部２６で検出処理が終了すると（ステップＳ２０７：Ｙｅｓ）、アルコール検出器２は、検出結果画像とパスワード画像とを表示部２２ａに表示する（ステップＳ２０８）。すなわち、アルコール検出器２は、報知制御部２７３により、検出部２６で検出された検出結果を示す検出結果画像と、メモリに記憶されたパスワードを示すパスワード画像とを表示部２２ａに表示させる。パスワード画像は、例えば、所定のエンコーダを用いて生成されたＱＲコード（登録商標）である。
【００５１】
図５は、アルコール検査を行っている被検者の様子を示す模式図である。より具体的には、図５は、被検者４がアルコール検出器２に呼気を吹き込みながら情報処理装置３で撮影し、アルコール検出器２の表示部２２ａに、検出結果画像２２０ａとパスワード画像２２０ｂとが表示された状態を示している。このように、本実施形態では、検出結果画像２２０ａとパスワード画像２２０ｂとが表示部２２ａに表示されるまで、被検者４がアルコール検査を行っている様子が撮影される。
【００５２】
図４ＡのステップＳ２０８の後、アルコール検出器２は、検出制御部２７２により、検出結果を示す情報を通信部２５を介して送信する（ステップＳ２０９）。
【００５３】
図４ＢのステップＳ３０５において、情報処理装置３は、アルコール検出器２から通信部３４を介して検出結果を取得すると（ステップＳ３０５：Ｙｅｓ）、撮像制御部３５２により撮像部３２の撮像を終了させ、撮像によって得られた撮像データを記憶部３３に記憶する（ステップＳ３０７）。そして、情報処理装置３は、判定部３５３により、記憶部３３に記憶された撮像データと、メモリに記憶されたパスワード情報、すなわちパスワードとを照合する（ステップＳ３０８）。
【００５４】
判定部３５３は、撮像データにパスワードと一致する画像が含まれているか否か判定する（ステップＳ３０９）。具体的には、例えば、パスワード画像２２０ｂがＱＲコード（登録商標）で表され、撮像データにパスワード画像２２０ｂが含まれている場合、判定部３５３は、撮像データに含まれるＱＲコード（登録商標）を所定の解析アルゴリズムに従ってデコードする。判定部３５３は、デコード結果とパスワードとが一致するか否か判定する。
【００５５】
情報処理装置３は、判定部３５３により、デコード結果とパスワードとが一致せず、撮像データにパスワードと一致する画像が含まれていないと判定された場合（ステップＳ３０９：Ｎｏ）、表示制御部３５４により、エラーメッセージをタッチディスプレイ３１に表示させる（ステップＳ３１０）。すなわち、パスワードと一致する画像が撮像データに含まれていない場合、撮像データに映るアルコール検出器２が正当でないと判定され、取得した検出結果は記憶部３３に記憶されない。エラーメッセージは、例えば、アルコール検査が正常に終了していないこと等を示す。
【００５６】
また、ステップＳ３０９において、判定部３５３により、デコード結果とパスワードとが一致し、撮像データにパスワードと一致する画像が含まれていると判定された場合（ステップＳ３０９：Ｙｅｓ）、撮像データに予め定められた被検者の顔画像と一致する画像が含まれるか否か判定する（ステップＳ３１１）。情報処理装置３は、判定部３５３により、撮像データに被検者の顔画像と一致する画像が含まれると判定された場合（ステップＳ３１１：Ｙｅｓ）、判定部３５３により、メモリ内の検出結果を記憶部３３に記憶する。そして、情報処理装置３は、表示制御部３５４によりアルコール検査画面を終了して、アルコール検査の終了を被検者に報知する（ステップＳ３１２）。
【００５７】
情報処理装置３は、ステップＳ３１１において、判定部３５３により、撮像データに被検者の顔画像と一致する画像が含まれていないと判定された場合（ステップＳ３１１：Ｎｏ）、情報処理装置３は、ステップＳ３１０の処理を行う。
【００５８】
なお、ステップＳ３０５において、情報処理装置３は、アルコール検出器２から通信部３４を介して所定時間内に検出結果を取得するまで（ステップＳ３０５：Ｎｏ、ステップＳ３０６：Ｎｏ）、待機する。また、情報処理装置３は、アルコール検出器２から通信部３４を介して所定時間内に検出結果を取得できなければ、所定時間の経過後、ステップＳ３１０の処理を行う。なお、この所定時間は、例えば十数秒程度である。
【００５９】
以上が、本実施形態におけるアルコール検査システム１におけるアルコール検査処理の動作である。例えば、真の被検者が、他人のアルコール検出器でアルコール検査を行っている仕草を情報処理装置３で撮影すると同時に、真の被検者に成りすました他人が、真の被検者のアルコール検出器２に呼気を吹き込み、アルコール検査を偽装する場合がある。このような場合、情報処理装置３において撮影により得られた撮像データに、真の被検者のアルコール検出器２で生成されたパスワードと一致する画像は含まれない。そのため、被検者のアルコール検出器２から情報処理装置３に送信された検出結果は、情報処理装置３によって正当ではないと判定され、エラーメッセージが情報処理装置３のタッチディスプレイ３１に表示される。つまり、情報処理装置３において、アルコール検出器２の偽装が判明され、検出結果が無効とされる。よって、アルコール検査システム１によれば、アルコール検出器２を偽装したアルコール検査が行われにくく、被検者の顔認証だけで検出結果の正当性が判定される場合と比べ、より確実に検出結果の正当性を判定することができる。
【００６０】
また、本実施形態におけるアルコール検出器２は、アルコール検査ごとに異なるパスワードを生成する。そのため、アルコール検査ごとに同じパスワードが用いられる場合と比べ、アルコール検出器２の偽装をより確実に防止することができる。
【００６１】
＜第２実施形態＞
第１実施形態では、アルコール検出器２からの識別情報を情報処理装置３が取得後に撮像を開始したが、撮像を開始するタイミングはこれに限定されない。以下、本実施形態の撮像開始タイミングについて具体的に説明する。
【００６２】
図６Ａは、本実施形態のアルコール検出器２の動作を示すフロー図である。また、図６Ｂは、本実施形態の情報処理装置３の動作を示すフロー図である。図６Ａ及び図６Ｂにおいて、第１実施形態と同じ処理については第１実施形態と同じステップ番号が付されている。以下、主として第１実施形態と異なる処理について説明する。
【００６３】
図６Ａにおいて、アルコール検出器２は、ステップＳ２０１〜Ｓ２０７の処理を行う。ステップＳ２０７において、アルコール検出器２は、検出部２６で検出処理が終了すると（ステップＳ２０７：Ｙｅｓ）、検出制御部２７２により、検出処理が終了したことを示す検出終了情報を通信部２５を介して送信する（ステップＳ２１０）。
【００６４】
そして、アルコール検出器２は、検出結果とパスワード画像とを表示部２２ａに表示し（ステップＳ２０８）、続いて、検出制御部２７２により、検出結果を示す情報を通信部２５を介して送信する（ステップＳ２０９）。
【００６５】
図６Ｂにおいて、情報処理装置３は、ステップＳ３０１の後、ステップＳ３０２において、アルコール検出器２からパスワード情報を取得すると（ステップＳ３０２：Ｙｅｓ）、通信部３４を介してアルコール検出器２から検出終了情報を取得するまで待機する（ステップＳ３１３：Ｎｏ）。
【００６６】
情報処理装置３は、通信部３４を介してアルコール検出器２から検出終了情報を取得すると（ステップＳ３１３：Ｙｅｓ）、撮像制御部３５２により、撮像部３２に撮像を開始させる（ステップＳ３０４）。このとき、撮像制御部３５２は、フロントカメラ３２ａに動画モードで撮影を開始させてもよいし、静止画モードで撮影を行ってもよい。
【００６７】
その後、情報処理装置３は、アルコール検出器２から通信部３４を介して検出結果を取得すると（ステップＳ３０５：Ｙｅｓ）、撮像制御部３５２により撮像部３２の撮像を終了させ、撮像によって得られた撮像データを記憶部３３に記憶する（ステップＳ３０７）。そして、情報処理装置３は、第１実施形態と同様、ステップＳ３０８以降の処理を行い、検出結果の正当性を判定する。
【００６８】
このように、本実施形態では、情報処理装置３において、アルコール検出器２から検出処理の終了を示す検出終了情報を取得後、すなわち、アルコール検出器２におけるアルコール検出処理が終了した後に撮像を開始する。アルコール検出器２は、検出終了情報を送信した後、検出結果とパスワード画像とを表示部２２ａに表示させる。被検者は、少なくとも表示部２２ａに検出結果が表示されるまでアルコール検出器２に呼気を吹き込む。そのため、情報処理装置３が検出終了情報を取得後、被検者とともに、表示部２２ａに表示された検出結果及びパスワード画像が情報処理装置３において撮影される。よって、アルコール検出器２における検出処理の終了後に撮像を開始した場合においても、情報処理装置３においてアルコール検出器２からの検出結果の正当性を適切に判定することができる。
【００６９】
以上、図面（図１〜図６Ｂ）を参照しながらアルコール検査システム、アルコール検出器、情報処理装置、及びプログラムの実施形態を説明した。但し、アルコール検査システム、アルコール検出器、情報処理装置、及びプログラムは、上記の実施形態に限られるものではなく、その要旨を逸脱しない範囲で種々の態様において実施することが可能である。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。以下、上述した実施形態の変形例を説明する。
【００７０】
［変形例］
（１）アルコール検出器２と情報処理装置３との間は通信ケーブルＬ（図１参照）を介して有線接続されているが、アルコール検出器２と情報処理装置３との間はブルートゥース（登録商標）や無線ＬＡＮ等を用いて無線接続されてもよい。
【００７１】
（２）第１実施形態では、図４ＢのステップＳ３０４において、情報処理装置３が動画モードで撮像を開始するが、静止画モードで撮像を行ってもよい。つまり、アルコール検出器２における表示部２２ａに検出結果が表示されているタイミングで、情報処理装置３により静止画モードで撮像してもよい。より具体的には、例えば、情報処理装置３において、ステップＳ３０５で肯定的な判断を行った後、少なくとも１回、撮像部３２により静止画モードで撮像を行ってもよい。
【００７２】
（３）第１実施形態では、アルコール検出器２におけるアルコール検出処理の終了時（図４ＡのステップＳ２０７：Ｙｅｓ）に、検出結果画像及びパスワード画像を表示部２２ａに表示させたが（図５参照）、パスワード画像を表示するタイミングはこれに限定されない。アルコール検出器２から情報処理装置３にパスワード情報を送信後、検出結果が送信されるまでの間に、パスワード画像が表示部２２ａに表示されていればよい。具体的には、例えば、アルコール検出器２において、クリーニング処理後、アルコール検出処理の開始時からパスワード画像を表示部２２ａに表示させてもよい。つまり、情報処理装置３における撮像開始からパスワード画像がアルコール検出器２の表示部２２ａに表示されてもよい。この場合、図４Ｂに示すように、情報処理装置３は、クリーニング処理時間に相当する所定時間が経過した後（ステップＳ３０３：Ｙｅｓ）、撮像を開始する（ステップＳ３０４）。そのため、正当なアルコール検出器２を用いてアルコール検査が行われていれば、情報処理装置３により、アルコール検出処理の開始時からパスワード画像が表示されたアルコール検出器２と被検者とが撮像される。
【００７３】
（４）図４ＡのステップＳ２０８において、アルコール検出器２の表示部２２ａに検出結果画像とパスワード画像とを表示させたが、少なくともパスワード画像が表示部２２ａに表示されていればよい。
【００７４】
（５）第１及び第２実施形態において、アルコール検査の開始時に被検者の顔を情報処理装置３で撮影し、撮影によって得られた撮像データと予め定められた被検者の顔画像とに基づいて被検者を認証してもよい。つまり、情報処理装置３は、アルコール検出器２からパスワード情報を取得する前、すなわち図４Ｂ及び図６ＢのステップＳ３０２より前に、被検者の顔を撮影することをタッチディスプレイ３１に表示し、撮像部３２で静止画又は動画モードで撮像する。情報処理装置３は、撮像データに、予め定められた被検者の顔画像と一致する画像が含まれていなければ被検者が正当でないと判定し、エラーメッセージをタッチディスプレイ３１に表示してもよい。このように、アルコール検査の開始時に被検者の顔を撮像し、被検者の正当性を判定することで、被検者の成りすましを抑制する効果が期待できる。
【００７５】
（６）第１及び第２実施形態において、情報処理装置３は、タクシーやバス等の運行事業者が管理するサーバとインターネット等の通信網を介して接続されていてもよい。この場合、情報処理装置３は、図４Ｂ及び図６ＢのステップＳ３１２において記憶部３３に記憶された検出結果を示す情報を被検者の識別情報とともにサーバへ送信するように構成する。このように構成することで、運行事業者は、運行事業者に所属するドライバーのアルコール検査の結果をドライバーごとに管理することができる。
【００７６】
（７）情報処理装置３は、タッチディスプレイ３１及びスピーカ（図示略）に加え、報知部の一例としてバイブレータ（図示略）を備えてもよい。情報処理装置３は、図４Ｂ及び図６ＢのステップＳ３１０において、エラーメッセージをタッチディスプレイ３１に表示させてもよいし、スピーカによりエラーを示す報知音を出力させてもよい。又は、情報処理装置３は、エラーを示す振動数（周波数）でバイブレータを振動させてもよい。つまり、情報処理装置３は、画像、音声、及び振動のうち少なくとも１つを用いてエラーを報知すればよい。
【００７７】
（８）情報処理装置３に記憶されたアルコール検査プログラムは、リムーバブルメディアに記録され、情報処理装置３において、リムーバブルメディアから読み出されてもよい。また、外部サーバ等にアルコール検査プログラムが記憶され、インターネット等の通信網を介して、情報処理装置３にアルコール検査プログラムがダウンロードされてもよい。
【００７８】
（９）第１及び第２実施形態に係るアルコール検査システム１は、アルコール検出器２と情報処理装置３とによって構成されたが、アルコール検査システム１は、アルコール検出器２に有線又は無線を介してカメラを接続した構成であってもよい。この場合、アルコール検出器２は、情報処理装置３における検出制御部３５１、撮像制御部３５２、判定部３５３、及び表示制御部３５４と同様の機能を備えるように構成する。つまり、アルコール検出器２は、被検者による検査開始ボタン２３ａの操作に応じてパスワードを生成し、その後、カメラにより撮像を開始させ、クリーニング処理及びアルコール検出処理を行う。アルコール検出処理の終了後、アルコール検出器２は、検出結果及びパスワード画像を表示部２２ａに表示した後に撮像を終了させる。そして、アルコール検出器２は、検出結果及びパスワード画像と、カメラで撮像された撮像データとに基づき、検出結果の正当性を判定する。
【００７９】
（１０）第２実施形態において、情報処理装置３は、アルコール検出器２からパスワード情報を取得後、クリーニング処理とアルコール検出処理に要する時間が経過したときに撮像部３２に撮像を開始させてもよい。要は、情報処理装置３は、アルコール検出器２からパスワード情報を取得後において、アルコール検出処理に要する時間を含む所定時間が経過したときに、撮像を開始させてもよい。
【００８０】
（１１）第２実施形態において、アルコール検出器２は検出終了情報とともに検出結果を情報処理装置３へ送信してもよいし、アルコール検出器２は検出結果のみを情報処理装置３へ送信してもよい。この場合、アルコール検出器２において、検出結果を送信後、検出結果及びパスワード画像を一定時間のあいだ表示部２２ａに表示させる。そして、情報処理装置３は、検出結果を取得した後、一定時間の間、撮像部３２により撮像を行わせてもよい。要は、アルコール検出器２におけるアルコール検出処理後、パスワード画像が表示部２２ａに表示されている間に、情報処理装置３において撮像が行われればよい。
【００８１】
（１２）第１及び第２実施形態において、アルコール検出器２は、ステップＳ２０２において、アルコール検査の開始を報知するとともに、検査開始を示す情報（以下、検査開始通知）を通信部２５を介して情報処理装置３へ送信してもよい。情報処理装置３は、ステップＳ３０１の後、通信部３４を介してアルコール検出器２から検査開始通知を取得した後、ステップＳ３０２以下の処理を行うようにしてもよい。
【産業上の利用可能性】
【００８２】
本発明は、タクシー、バス、列車及び航空機等の運行事業者における飲酒検査に利用可能である。
【符号の説明】
【００８３】
１…アルコール検査システム、２…アルコール検出器、３…情報処理装置（携帯通信端末）、２１…呼気流入部、２６…検出部、２２…報知部、２２ａ…表示部、２２ｂ…音声出力部、２３ａ…検査開始ボタン、２４，３３…記憶部、２５，３４…通信部、２７，３５…制御部、３１…タッチディスプレイ、３２…撮像部、３２ａ…フロントカメラ
【要約】
【課題】アルコール検出器を偽装してアルコール検査が行われることを防止し得る技術を提供する。
【解決手段】アルコール検出器２は、検出部、表示部２２ａ、通信部、及び制御部を備える。検出部は、被検者４によって吹き込まれる呼気中のアルコール濃度を検出する。通信部は、所定の外部装置３との間で通信を行う。制御部は、検出部にアルコール濃度を検出させ、アルコール濃度の検出結果を通信部を介して所定の外部装置３へ送信する。さらに、制御部は、アルコール濃度の検出前に自機を示す識別情報を生成し、通信部を介して所定の外部装置３に識別情報を送信し、検出結果を送信するまでの間に識別情報を示す画像２２０ｂを表示部２２ａに表示させる。
【選択図】図５【図１】
0006875030.tif 000002
【図２】
0006875030.tif 000003
【図３】
0006875030.tif 000004
【図４Ａ】
0006875030.tif 000005
【図４Ｂ】
0006875030.tif 000006
【図５】
0006875030.tif 000007
【図６Ａ】
0006875030.tif 000008
【図６Ｂ】
0006875030.tif 000009